(57)【要約】【課題】接続端子の内部に気泡が残留しにくくし、部分放電の発生を抑制する。【解決手段】導体の先端部が挿入された状態で導体と圧着される開口部１０ａを有する有底筒状の外形を有する。接続端子の開口部１０ａ側とは反対側である底側の先端部は、湾曲面状の外形を有する。上記先端部に、開口部１０ａと連通した貫通孔１０ｈが設けられている。【選択図】図３
2017208504.tif 000002
【特許請求の範囲】
【請求項１】
絶縁油に浸漬された状態で使用される巻線の導体同士を接続する接続端子であって、
前記接続端子は、前記導体の先端部が挿入された状態で前記導体と圧着される開口部を有する有底筒状の外形を有し、
前記接続端子の開口部側とは反対側である底側の先端部は、湾曲面状の外形を有し、
前記先端部に、前記開口部と連通した貫通孔が設けられている、接続端子。
【請求項２】
前記貫通孔に嵌入された筒状の絶縁部材をさらに含む、請求項１に記載の接続端子。
【請求項３】
前記接続端子の前記先端部寄りの位置に、複数の他の貫通孔が設けられている、請求項１または請求項２に記載の接続端子。
【請求項４】
絶縁油に浸漬された状態で使用され、導体を有する巻線と、
前記巻線の前記導体同士を接続する接続端子と、
前記接続端子を被覆する絶縁紙とを備え、
前記接続端子は、前記導体の先端部が挿入された状態で前記導体と圧着された開口部を有する有底筒状の外形を有し、
前記接続端子の開口部側とは反対側である底側の先端部は、湾曲面状の外形を有し、
前記先端部に、前記開口部と連通した貫通孔が設けられており、
前記絶縁紙は、前記接続端子の前記貫通孔以外の表面を覆っている、静止誘導機器。
【請求項５】
前記貫通孔に嵌入された筒状の絶縁部材をさらに含む、請求項４に記載の静止誘導機器。
【請求項６】
前記接続端子の前記導体と圧着されていない前記先端部寄りの位置に、複数の他の貫通孔が設けられている、請求項４または請求項５に記載の静止誘導機器。
【発明の詳細な説明】
【技術分野】
【０００１】
本発明は、接続端子、およびそれを備える静止誘導機器に関する。
【背景技術】
【０００２】
変圧器の巻線の中間タップ端子の構成を開示した先行文献として、実開昭５９−９５２３号公報(特許文献１)がある。特許文献１に記載された変圧器の巻線の中間タップ端子は、両端が開放した筒状の外形を有し、巻線の導体の先端に取り付けられている。
【先行技術文献】
【特許文献】
【０００３】
【特許文献１】実開昭５９−９５２３号公報
【発明の概要】
【発明が解決しようとする課題】
【０００４】
中間タップ端子などの接続端子が、両端が開放した筒状の外形を有している場合、接続端子が取り付けられた導体の先端に電界が集中し、部分放電が発生する可能性がある。導体の先端への電界集中を緩和するために、一端が閉じている筒状の接続端子が用いられることがある。この場合、絶縁油を真空注入する際に、導体の先端が挿入されて閉塞状態になっている接続端子の内部に気泡が残留する可能性がある。接続端子の内部に気泡が残留している場合、気泡に電界が集中して部分放電が発生する可能性がある。
【０００５】
本発明は上記の問題点に鑑みてなされたものであって、接続端子の内部に気泡が残留しにくくし、部分放電の発生を抑制できる、接続端子、およびそれを備える静止誘導機器を提供することを目的とする。
【課題を解決するための手段】
【０００６】
本発明に基づく接続端子は、絶縁油に浸漬された状態で使用される巻線の導体同士を接続する接続端子である。接続端子は、導体の先端部が挿入された状態で導体と圧着される開口部を有する有底筒状の外形を有する。接続端子の開口部側とは反対側である底側の先端部は、湾曲面状の外形を有する。上記先端部に、開口部と連通した貫通孔が設けられている。
【発明の効果】
【０００７】
本発明によれば、接続端子の内部に気泡が残留しにくくし、部分放電の発生を抑制できる。
【図面の簡単な説明】
【０００８】
【図１】本発明の実施の形態１に係る接続端子の構成を示す斜視図である。
【図２】図１の接続端子を矢印ＩＩ方向から見た図である。
【図３】図２の接続端子をＩＩＩ−ＩＩＩ線矢印方向から見た断面図である。
【図４】本発明の実施の形態１に係る接続端子を備える静止誘導機器の構成を示す側面図である。
【図５】図４の静止誘導機器の接続端子の周辺を拡大して示す図である。
【図６】本発明の実施の形態２に係る接続端子の構成を示す斜視図である。
【図７】図６の接続端子を矢印ＶＩＩ方向から見た図である。
【図８】本発明の実施の形態２に係る接続端子を備える静止誘導機器の接続端子の周辺を拡大して示す図である。
【図９】本発明の実施の形態３に係る接続端子の構成を示す斜視図である。
【図１０】本発明の実施の形態３に係る接続端子を備える静止誘導機器の接続端子の周辺を拡大して示す図である。
【発明を実施するための形態】
【０００９】
以下、本発明の各実施の形態に係る接続端子、およびそれを備える静止誘導機器について図面を参照して説明する。以下の実施の形態の説明においては、図中の同一または相当部分には同一符号を付して、その説明は繰り返さない。静止誘導機器は、変圧器またはリアクトルなどである。
【００１０】
実施の形態１．
図１は、本発明の実施の形態１に係る接続端子の構成を示す斜視図である。図２は、図１の接続端子を矢印ＩＩ方向から見た図である。図３は、図２の接続端子をＩＩＩ−ＩＩＩ線矢印方向から見た断面図である。図４は、本発明の実施の形態１に係る接続端子を備える静止誘導機器の構成を示す側面図である。図５は、図４の静止誘導機器の接続端子の周辺を拡大して示す図である。図４においては、接続端子を被覆する後述する絶縁紙を図示していない。
【００１１】
図１〜３に示すように、本発明の実施の形態１に係る接続端子１０は、開口部１０ａを有する有底筒状の外形を有している。接続端子１０の開口部１０ａ側の形状は、略円筒状である。ただし、接続端子１０の開口部１０ａ側の形状は、角筒状であってもよい。
【００１２】
本実施の形態においては、接続端子１０の開口部１０ａ側とは反対側である底側は、底側の先端に行くに従って先細の外形を有している。接続端子１０の底側の先端部は、湾曲面状の外形を有している。接続端子１０の底側の先端部が、湾曲面状の外形を有していることにより、接続端子１０の底側の先端部に電界が集中することを抑制できる。なお、接続端子１０の底側の外形が半球状であってもよい。
【００１３】
接続端子１０の底側の先端部に、開口部１０ａと連通した貫通孔１０ｈが設けられている。貫通孔１０ｈの中心は、接続端子１０の中心軸上に位置している。本実施の形態においては、貫通孔１０ｈは、接続端子１０の中心軸方向から見て、円形であるが、これに限られず、多角形であってもよい。接続端子１０は、銅で形成されている。
【００１４】
図４に示すように、接続端子１０は、図示しない絶縁油に浸漬された状態で使用される巻線１の導体２ａと導体２ｂとを接続する。導体２ａおよび導体２ｂの各々の先端部が挿入された状態で、接続端子１０の開口部１０ａ側の圧壊部１０ｐが押し潰されることにより、導体２ａおよび導体２ｂと開口部１０ａとが圧着される。なお、圧壊部１０ｐ上を覆うように、図示しない導電テープが接続端子１０の表面に巻き付けられていてもよい。この場合、圧壊部１０ｐの突起に電界が集中することを抑制できる。
【００１５】
図５に示すように、導体２ａおよび導体２ｂと開口部１０ａとが圧着された状態の接続端子１０は、導体２ａおよび導体２ｂとともに、絶縁紙３によって被覆される。絶縁紙３は、接続端子１０の貫通孔１０ｈ以外の表面を覆っている。すなわち、貫通孔１０ｈは、絶縁紙３によって覆われていない。絶縁紙３は、空気が透過しにくいため、貫通孔１０ｈが絶縁紙３によって覆われている場合、絶縁油を真空注入する際に、接続端子１０の内部に気泡が残留しやすくなる。なお、上記の導電テープが接続端子１０の表面に巻き付けられている場合は、導電テープは絶縁紙３によって覆われている。
【００１６】
本実施の形態に係る接続端子を備える静止誘導機器においては、絶縁油を真空注入する際に、貫通孔１０ｈから接続端子１０の内部の空気を排出しつつ、接続端子１０の内部に絶縁油を注入することができる。これにより、接続端子１０の内部に気泡が残留しにくくすることができる。その結果、本実施の形態に係る接続端子を備える静止誘導機器は、部分放電の発生を抑制できる。
【００１７】
接続端子１０における部分放電の発生を抑制することにより、静止誘導機器の構成部品のタンク内の配置の自由度を高くすることができる。すなわち、たとえば背景電界が３ｋＶ／ｍｍ程度である比較的高電界の位置に、接続端子１０を配置することが可能となる。
【００１８】
実施の形態２．
以下、本発明の実施の形態２に係る接続端子、およびそれを備える静止誘導機器について説明する。本発明の実施の形態２に係る接続端子は、筒状の絶縁部材をさらに備える点のみ、本発明の実施の形態１に係る接続端子と異なるため、本発明の実施の形態１に係る接続端子と同様の構成については説明を繰り返さない。
【００１９】
図６は、本発明の実施の形態２に係る接続端子の構成を示す斜視図である。図７は、図６の接続端子を矢印ＶＩＩ方向から見た図である。図８は、本発明の実施の形態２に係る接続端子を備える静止誘導機器の接続端子の周辺を拡大して示す図である。
【００２０】
図６〜８に示すように、本発明の実施の形態２に係る接続端子１０は、貫通孔１０ｈに嵌入された筒状の絶縁部材１１をさらに含む。絶縁部材１１は、内側に貫通孔１１ｈを有している。貫通孔１１ｈは、開口部１０ａと連通している。絶縁部材１１は、エポキシ樹脂、シリコーン樹脂またはアルキド樹脂などの樹脂材料で形成されている。
【００２１】
図８に示すように、導体２ａおよび導体２ｂと開口部１０ａとが圧着された状態の接続端子１０は、導体２ａおよび導体２ｂとともに、絶縁紙３によって被覆される。絶縁紙３は、絶縁部材１１以外の接続端子１０の表面を覆っている。すなわち、貫通孔１１ｈは、絶縁紙３によって覆われていない。
【００２２】
本実施の形態に係る接続端子を備える静止誘導機器においては、絶縁油を真空注入する際に、貫通孔１１ｈから接続端子１０の内部の空気を排出しつつ、接続端子１０の内部に絶縁油を注入することができる。これにより、接続端子１０の内部に気泡が残留しにくくすることができる。なお、絶縁部材１１は、絶縁材料によって構成されているため、絶縁部材１１の先端部に電界は集中しない。よって、本実施の形態に係る接続端子を備える静止誘導機器は、部分放電の発生を抑制できる。また、貫通孔１１ｈが接続端子１０の表面から突出しているため、貫通孔１１ｈを覆わないように絶縁紙３を接続端子１０の表面に容易に巻き付けることができる。
【００２３】
実施の形態３．
以下、本発明の実施の形態３に係る接続端子、およびそれを備える静止誘導機器について説明する。本発明の実施の形態３に係る接続端子は、複数の他の貫通孔が設けられている点のみ、本発明の実施の形態１に係る接続端子と異なるため、本発明の実施の形態１に係る接続端子と同様の構成については説明を繰り返さない。
【００２４】
図９は、本発明の実施の形態３に係る接続端子の構成を示す斜視図である。図１０は、本発明の実施の形態３に係る接続端子を備える静止誘導機器の接続端子の周辺を拡大して示す図である。
【００２５】
図９，１０に示すように、本発明の実施の形態３に係る接続端子１０は、接続端子１０の底側の先端部寄りの位置に、複数の他の貫通孔１０ｅが設けられている。よって、複数の他の貫通孔１０ｅは、圧壊部１０ｐと重ならない位置に設けられている。これにより、複数の他の貫通孔１０ｅの各々の開口端が、電界が集中しやすい突起状になることを避けることができる。
【００２６】
図１０に示すように、導体２ａおよび導体２ｂと開口部１０ａとが圧着された状態の接続端子１０は、導体２ａおよび導体２ｂとともに、絶縁紙３によって被覆される。絶縁紙３は、接続端子１０の貫通孔１０ｈ以外の表面を覆っている。すなわち、貫通孔１０ｈは、絶縁紙３によって覆われておらず、複数の他の貫通孔１０ｅの各々は、絶縁紙３によって覆われている。
【００２７】
複数の他の貫通孔１０ｅの各々は、絶縁紙３によって覆われていることにより、空気が透過しにくくなっているが、絶縁油を真空注入する際に、接続端子１０の内部の空気を、貫通孔１０ｈから主に排出しつつ、複数の他の貫通孔１０ｅの各々から補助的に排出することができる。これにより、接続端子１０の内部に気泡が残留しにくくすることができる。その結果、本実施の形態に係る接続端子を備える静止誘導機器は、部分放電の発生を抑制できる。
【００２８】
なお、今回開示した上記実施の形態はすべての点で例示であって、限定的な解釈の根拠となるものではない。したがって、本発明の技術的範囲は、上記した実施の形態のみによって解釈されるものではなく、特許請求の範囲の記載に基づいて画定される。また、特許請求の範囲と均等の意味および範囲内でのすべての変更が含まれる。
【符号の説明】
【００２９】
１  巻線、２ａ  導体、２ｂ  導体、３  絶縁紙、１０  接続端子、１０ｅ  貫通孔、１０ｈ  貫通孔、１１ｈ  貫通孔、１０ａ  開口部、１０ｐ  圧壊部、１１  絶縁部材。 
【図１】
2017208504.tif 000003
【図２】
2017208504.tif 000004
【図３】
2017208504.tif 000005
【図４】
2017208504.tif 000006
【図５】
2017208504.tif 000007
【図６】
2017208504.tif 000008
【図７】
2017208504.tif 000009
【図８】
2017208504.tif 000010
【図９】
2017208504.tif 000011
【図１０】
2017208504.tif 000012